(57)【特許請求の範囲】
【請求項１】
シャフト内に昇降可能に配備されたかごと、
該かごをシャフト内で昇降させる昇降機構と、
該昇降機構によるかごの昇降を制御する昇降制御手段と、
該昇降制御手段に電気的に接続され、前記かご内に音響出力を行なう放送システムと、
を具えたエレベータにおいて、
シャフト内のかごの現在いる階床を検知するかご位置検知手段を具え、
前記放送システムは、前記昇降制御手段の制御によってかごが走行中であることを示す音響である階床移行音を、前記かご位置検知手段がかごの階床移行を検知する毎に、該走行中の方向に応じて異なる音色で出力することを特徴とするエレベータ。
【請求項２】
上昇を示す階床移行音は、上がり調子の音色、下降を示す階床移行音は下がり調子の音色である、請求項１に記載のエレベータ。
【請求項３】
前記放送システムは、停止していた階床から上下方向の何れかの最初の階床へかごが移行したことを前記かご位置検知手段が検知したときに出力する前記階床移行音の音量を、それ以降に出力する階床移行音よりも大とする、請求項１又は請求項２に記載のエレベータ。
【請求項４】
前記放送システムは、かごの乗車率に応じて、前記階床移行音の音量を変化させる、請求項１乃至請求項３の何れか一項に記載のエレベータ。
【請求項５】
前記放送システムは、前記かご位置検知手段が、かごを停止させるべき階床の手前の階床から、停止させるべき階床へ移行したことを検知したときには、前記階床移行音を出力しない、請求項１乃至請求項４の何れか一項に記載のエレベータ。
【請求項６】
前記放送システムは、かごを停止させるべき階床にかごが到着すると、該階床に関する音響出力を行なう、請求項１乃至請求項５の何れか一項に記載のエレベータ。
【請求項７】
かご内に配置され、前記かご位置検知手段により検知されたかごの現在いる階床を表示するかごインジケータ手段を具え、
前記放送システムは、前記かご位置検知手段によるかごの階床移行の検知に基づいて階床移行音を出力するか、あるいは前記かご位置検知手段によるかごインジケータ手段の階床表示の切替えに同期して前記階床移行音の出力を行なうかの、何れかを選択して出力する、請求項１乃至請求項６の何れか一項に記載のエレベータ。
【請求項８】
前記シャフトには、乗場のない乗場なしゾーンを有し、
前記放送システムは、かご位置検知手段により、かごが前記乗場なしゾーンを通過していることを検知している間も、前記かご位置検知手段によるかごインジケータ手段の階床表示の切替えに同期して前記階床移行音の出力を行なうと共に、該切替え時以外で前記階床移行を検知した際も前記階床移行音の出力を行なう、請求項１乃至請求項７の何れか一項に記載のエレベータ。
【請求項９】
かご内の乗客の有無を判定する乗客判定手段を具え、
該乗客判定手段がかご内に乗客無と判定すると、放送システムは、前記階床移行音を出力しない、請求項１乃至請求項８の何れか一項に記載のエレベータ。
【請求項１０】
前記放送システムは、かごの昇降スピードに基づいて、前記かご位置検知手段によるかごの階床移行の検知に基づいた前記階床移行音の出力タイミングを違える、請求項１乃至請求項９の何れか一項に記載のエレベータ。
【請求項１１】
前記放送システムは、前記階床移行音を一時的に出力停止とすることが可能である、請求項１乃至請求項１０の何れか一項に記載のエレベータ。
【発明の詳細な説明】
【技術分野】
【０００１】
本発明は、放送システムを具えるエレベータに関するものである。
【背景技術】
【０００２】
従来、かごの走行状態、かごの現在いる位置や停止した階床など(以下、適宜「かごの状態」と称する)の確認は、かご内に設置されたかごインジケータの表示に頼っている。
【０００３】
しかしながら、かごが混雑している場合や、視覚障がい者にとって、かごの状態を視覚のみで把握することは容易ではない。
【０００４】
そこで、各階床をかごが通過する毎に、乗場に設置された発音器により、乗場にブザー音などの一種類の音を発するようにしたエレベータも提案されている(例えば、特許文献１参照)。
【先行技術文献】
【特許文献】
【０００５】
【特許文献１】特開昭５７−１１７８号公報
【発明の概要】
【発明が解決しようとする課題】
【０００６】
しかしながら、ブザー音では、乗場にいる人にはかごが走行していることは判別できるが、かご内の乗客には、かごが上昇しているのか下降しているのかなどの走行状態は判断できず、さらには、かごが停止した階床が何階であるのかを判別することはできない。このため、従来の放送システムを補完した放送システムを具えるエレベータの提供が求められている。
【０００７】
本発明の目的は、かごの状態をより判り易く乗客に知らせることのできる放送システムを具えるエレベータを提供することである。
【課題を解決するための手段】
【０００８】
本発明に係る放送システムを具えたエレベータは、
シャフト内に昇降可能に配備されたかごと、
該かごをシャフト内で昇降させる昇降機構と、
該昇降機構によるかごの昇降を制御する昇降制御手段と、
該昇降制御手段に電気的に接続され、前記かご内に音響出力を行なう放送システムと、
を具えたエレベータにおいて、
シャフト内のかごの現在いる階床を検知するかご位置検知手段を具え、
前記放送システムは、前記昇降制御手段の制御によってかごが走行中であることを示す音響である階床移行音を、前記かご位置検知手段がかごの階床移行を検知する毎に、該走行中の方向に応じて異なる音色で出力するようにしたものである。
【０００９】
シャフト内のかごの現在いる階床を検知するかご位置検知手段を具え、
前記放送システムは、前記かご位置検知手段によるかごの階床移行の検知に基づいて、前記走行方向に応じた階床移行音を出力することが望ましい。
【発明の効果】
【００１０】
本発明の放送システムを具えたエレベータによれば、かごの走行方向に応じて異なる階床移行音を出力することができるので、かご内が混雑している場合や視覚障がい者にとって、視覚に頼ることなく聴覚によりかごの走行又は停止、及び、かごの走行方向を判別することができる。
【００１１】
また、かごが階床を移行する毎に階床移行音を出力することで、乗客はかごの現在のおおよその走行位置や、あとどのくらいで行先として所望する階床に到着するのかを判断又は大まかに判断することができる。
【図面の簡単な説明】
【００１２】
【図１】図１は、本発明の一実施例であるエレベータの全体構成の概略図である。
【図２】図２は、本発明の一実施例であるエレベータの制御ブロック図である。
【図３】図３は、階床移行音出力のタイミングを示すエレベータの模式図である。
【図４】図４は、図３の階床移行音出力の基本となるタイミングフローチャート図である。
【図５】図５は、階床移行音出力とかごインジケータ表示の切替えを同期させたタイミングフローチャート図である。
【図６】図６は、目的階で到着の音響出力を行なうようにした階床移行音出力のタイミングを示すエレベータの模式図である。
【図７】図７は、図６の階床移行音出力のタイミングフローチャート図である。
【図８】図８は、乗場なしゾーンを通過中は、階床移行音出力とかごインジケータ表示の切替えを同期させたタイミングを示すエレベータの模式図である。
【図９】図９は、乗場なしゾーンを通過中は、階床移行音出力とかごの階床移行の検知を同期させたタイミングを示すエレベータの模式図である。
【図１０】図１０は、乗場なしゾーンを通過中は、かごインジケータに乗場なしゾーン通過中の表示を行ない、階床移行音出力とかごインジケータ表示切替えを同期させたタイミングを示すエレベータの模式図である。
【図１１】図１１は、乗場なしゾーンを通過中は、かごインジケータに乗場なしゾーン通過中の表示を行ない、階床移行音出力とかごの階床移行の検知を同期させたエレベータの模式図である。
【図１２】図１２は、図８乃至図１１の階床移行音出力のタイミングフローチャート図である。
【図１３】図１３は、最初の階床移行音の出力を大きくしたエレベータの模式図である。
【図１４】図１４は、乗車率に応じて階床移行音の出力を調整したエレベータの模式図である。
【発明を実施するための形態】
【００１３】
図１は、本発明の一実施例であるエレベータ(10)の全体構成の概略図、図２は、制御ブロック図である。
図１に示すように、エレベータ(10)は、建物に設置されたシャフト内に、乗客の搭乗するかご(20)を昇降可能に配置して構成される。
エレベータ(10)のすべての制御は、シャフトの最上階に設けられた機械室などに配備される制御盤(40)と、かご(20)の上部などに配備されるかご側制御盤(50)により行なわれる。制御盤(40)及びかご側制御盤(50)は夫々マイコン、メモリ、チップ、スイッチなどを基板に実装して構成され、制御盤(40)とかご側制御盤(50)は有線接続されて、エレベータ(10)の運行に必要な各種プログラムを実行する。
【００１４】
かご(20)の操作は、かご(20)内及び各階床の乗場に設けられた登録手段により行なわれる。
かご(20)側の登録手段は、乗客が行先として所望する階床(以下「行先階」と称する)の登録や戸の開閉を行なう操作パネル(22)であり、かご側制御盤(50)に電気的に接続されている。
また、乗場の登録手段は、乗場に設けられた乗場装置(48)であり、行先階の方向に応じた乗場呼びを登録し、制御盤(40)に送信する。乗場装置(48)は、一般的には上方階行きを指定する操作ボタンと下方階行きを指定する操作ボタンから構成される。
【００１５】
なお、乗場にて乗客が予め行先階を登録するエレベータにおいては、乗場装置に行先階を選択する複数の操作ボタンが配置される。本発明はこのようなエレベータにも適用できる。
【００１６】
かご(20)内には、上記した操作パネル(22)の他に、かご(20)の現在の階床や走行方向を示すかごインジケータ(24)、後述する放送システム(30)からの階床移行音等の音響出力を行なうスピーカ(32)が配備されている。これらは何れもかご側制御盤(50)に電気的に接続される。
【００１７】
放送システム(30)は、上記したスピーカ(32)からかご(20)内に種々の音響出力を行なう装置であり、かご側制御盤(50)に音響再生部(34)を具え、音響再生部(34)から送信される各種の階床移行音、音声、報知信号などの音響をスピーカ(32)から出力可能となっている。音響再生部(34)には、階床移行音、音声、報知信号などの音響データが格納され、必要に応じてこれら音響データが呼び出されて、スピーカ(32)から音響出力される。
【００１８】
音声として、後述する図１３に吹き出し表示するように、走行方向と戸の閉じを案内する「上へまいります。ドアが閉まります。」、到着階と戸の開きを案内する「５階です。ドアが開きます。」などの音声言語を例示することができる。
【００１９】
また、かご(20)の走行中に、かご(20)の走行方向を案内する階床移行音として、上昇時に上がり調子の３音以上の構成、下降時に下がり調子の３音以上の構成等からなる音色を例示できる。勿論、階床移行音は、これに限らず、音楽、音声言語、チャイム音、ブザー音、ベル音、サイレン音などを採用することもできる。
なお、階床移行音は、複数の周波数を組み合わせることで、幅広い周波数帯域となるので、特定の周波数帯域が聞き取りにくい乗客も聴取可能とすることができる。周波数の組み合わせは、例えば倍音がある。
【００２０】
報知信号として、チャイム音、ブザー音、ベル音、サイレン音などを例示できる。
【００２１】
上記した音響等は例示であり、これらに限定されるものではない。
【００２２】
かご(20)の走行は、モータ(46)、ブレーキ、シーブ、ロープ、釣り合い錘などにより構成される昇降機構(44)により行なわれる。
昇降機構(44)、具体的にはモータ(46)は、制御盤(40)に設けられた昇降制御手段(42)により制御される。
モータ(46)の回転は、エンコーダ信号として出力される。該エンコーダ信号のパルス数に基づいて、かご位置検知手段(51)は、かご(20)の基準位置(例えば最下階の乗場床面の高度)からの差分値によってかご位置を検知すると共に、単位時間当たりの変化量によって走行速度を検知し、その検知信号に基づいて昇降制御手段(42)はかご(20)の走行を制御する。
【００２３】
そして、上記かご位置検知手段(51)は、かご(20)の現在いる階床を検知する。
【００２４】
また、かご位置検知手段(51)は、かご(20)の階床移行を判定する通過検知手段(52)(図２参照)としての機能を含み、放送システム(30)による階床移行音の出力タイミングを制御する。
【００２５】
なお、本発明において、かご(20)の階床移行とは、かご(20)が階床と上下方向に隣接する何れかの階床との間を通過したとき、かご(20)が各階床の所定位置、例えば各階床の停止位置を通過又は到達したときなどを意味する。
【００２６】
さらに、上記したかご位置検知手段(51)は、かごインジケータ(24)の表示切替えを行なう階床表示切替手段(53)(図２参照)としての機能を含み、放送システム(30)による階床移行音の出力タイミングや到着階の音響案内も制御する。
【００２７】
シャフトには、乗場(12)の設けられていない乗場なしゾーンを設けることができる。乗場なしゾーンは、かご位置検知手段(51)に予め設定しておくことができ、かご位置検知手段(51)により検知されたかご(20)の現在いる階床が乗場なしゾーンであることを判別することができる。
【００２８】
本発明の放送システム(30)は、かご(20)が階床を移行したときに、その走行方向に応じた階床移行音を出力することで、聴覚によりかご(20)の状態を判別できるようにしたものである。
【００２９】
以下、具体的実施例について図面を参照しながら説明を行なう。
図３は、複数の乗場(12)(12)を有するエレベータ(10)の模式図、図４は、階床移行音を出力するタイミングフローチャート図である。
【００３０】
本実施例は、かご(20)の階床移行を検知する毎に走行方向に応じた階床移行音をスピーカ(32)から出力する例である。実施例では、階床移行音出力タイミングは、通過検知手段(52)を採用し、かご(20)の階床移行を、かご(20)が階床間を通過したことにより検知するようにしている。１階からかご(20)に搭乗した乗客が操作パネル(22)を操作して、４階を行先階とする上昇方向のかご(20)の走行を例に挙げている。
【００３１】
操作パネル(22)に行先階(４階)が入力されると、その入力はかご側制御盤(50)及び制御盤(40)に送信される。昇降制御手段(42)は、出発階となる現在の階床(１階)から、かご(20)を応答させて停止させるべき階床として行先階の中から選んだ目的階(この例では４階)への走行方向(上昇)を検知し、モータ(46)を回転させて、かご(20)を走行させる(ステップ１０１)。
【００３２】
かご(20)が目的階に対応する減速開始位置に到着するまでは、モータ(46)の回転数の高い高速走行を継続し(ステップ１０２のＮｏ、１０３)、その間に、通過検知手段(52)により、かご(20)が階床間を通過したことが検知されると(ステップ１０４のＹｅｓ)、かご側制御盤(50)は、音響再生部(34)により走行方向に応じた音響データをスピーカ(32)から階床移行音として出力する(ステップ１０５)。階床移行音は、走行方向が上昇の場合には、上がり調子の音色、下降の場合には、下がり調子の音色を例示できる。
【００３３】
これにより、乗客は、かご(20)が走行しているのか、停止しているのかを、かごインジケータ(24)を目視することなく、階床移行音に基づいて聴覚により判別することができる。また、上昇の場合と下降の場合で階床移行音の音色を変えることで、乗客は、かごインジケータ(24)を目視することなく、階床移行音から聴覚により走行方向も判別することができる。特に、近年のエレベータ(10)は、走行音が静音であるため、走行又は停止の判別が難しいが、本発明によりこの問題は解消される。
加えて、乗客は、出発階からの階床移行音の聞こえた回数を数えることで、かご(20)が現在何階を走行しているのかを判断したり、後どれくらいで所望する行先階に到着するのかを判断することができる。
【００３４】
目的階に対応する減速開始位置に到達するまで、階床間を通過する毎に上記フローを繰り返し、かご(20)が目的階に対応する減速開始位置に到達すると(ステップ１０２のＹｅｓ)、昇降制御手段(42)は、モータ(46)の回転数を落として、かご(20)を減速させる(ステップ１０６)。
【００３５】
かご(20)の減速が、目的階の複数階床手前から開始されている場合、目的階に到着するまでに(ステップ１０７のＹｅｓ)、かご(20)は１又は複数の階床間を通過する。この階床間の通過を通過検知手段(52)が検知すると(ステップ１０７のＮｏ、ステップ１０８のＹｅｓ)、再度走行方向に応じた階床移行音を出力する(ステップ１０９)。
【００３６】
かご(20)が目的階に到着すると(ステップ１０７のＹｅｓ)、昇降制御手段(42)はモータ(46)の回転を止めて、かご(20)を停止させ、本タイミングフローは終了する。
【００３７】
かご(20)の減速に伴って、通過検知手段(52)により検知される階床間のタイムインターバルも長くなるから、階床移行音が出力される間隔も徐々に長くなる。これにより、乗客は、かご(20)が減速し、目的階に近づいていることを聴覚により認識することができるから、降車もスムーズに行なうことができる。
【００３８】
なお、かご(20)が走行中に、乗場装置(48)が操作されて新規の乗場呼びが発生したり、新規の乗客が操作パネル(22)を操作することで行先階が追加され、これらの操作に応答してかご(20)の走行、停止を行なう場合であっても、上記タイミングフローチャートに従って、階床間を通過する毎に階床移行音の出力を実行すればよい。
【００３９】
また、図３に示すように、階床間を通過する際にかごインジケータ(24)の表示を連動して変化させるエレベータ(10)においては、階床移行音出力タイミングを、通過検知手段(52)によるタイミング（階床間の通過を検知するタイミング）とせずに、階床表示切替手段(53)によるタイミング（かごインジケータ(24)の表示を切り替えるタイミング）と同期させてもよい(階床移行音出力タイミングのフローチャートとして、図４のステップ１０４、１０８をステップ１０４’、１０８’に置き換えた図５を参照)。なお、本明細書及び図面において、タイミングフローチャート図中、同じステップ番号は同様のプロセスを示す。
【００４０】
例えば、階床移行音出力タイミングとして、階床表示切替手段(53)を採用した場合には、上述したようにモータ(46)のエンコーダ信号に基づいてかご(20)の現在の位置を検知して、かごインジケータ(24)の階床表示を切替え、これと同期して、走行方向に応じた階床移行音を出力するよう制御すればよい。
【００４１】
図６及びタイミングフローチャート図７は、上記実施例に、到着した目的階を放送する機能を追加したものである。図６に吹き出し表示で示すように、目的階である４階に到着後、「ピンポーン、４階です」と音声言語で放送するようにしている。この目的階への到着案内は、目的階に到着後(ステップ１０７のＹｅｓ)、ステップ１１０にて実行される。
階床移行音だけでなく、到着した目的階を音声放送することで、聴覚により降車すべき階床かどうかをかごインジケータ(24)を目視することなく判断できる。
【００４２】
階床表示切替手段(53)が、かご(20)の目的階の手前の階床から目的階へと切り替わったときに、スピーカ(32)から階床移行音を出力し、続いて目的階到着の音声放送を行なうと、階床移行音と目的階到着の音声放送が被ってしまったり、連続的に放送されて、聞き辛くなることがある。このため、上記のような場合には、階床移行音の出力を行なわないようにすることが望ましい(ステップ１０４”、ステップ１０８”)。
【００４３】
なお、乗場なしゾーンが設けられているエレベータ(10)においては、乗場なしゾーンを通過中に、図８乃至図１１に示すように、階床移行音出力タイミングにアレンジを持たせることができる。乗場なしゾーン通過中における階床移行音の出力タイミングは、通過検知手段(52)又は階床表示切替手段(53)の何れかに基づき実行される。
【００４４】
図８は、乗場なしゾーンを通過中は、乗場なしゾーンの中間点、図示の実施例では、１階と５階との中間を通過したときに（かごインジケータ(24)の表示が１階から５階へ切り替わるときに）階床移行音を出力するようにした実施例である。この例では、かごインジケータ(24)は、乗場がない階（２、３、４階）の階床表示をしないようにしている。乗場なしゾーン通過中の階床移行音出力タイミングは、階床表示切替手段(53)を採用する。
【００４５】
図９は、乗場なしゾーンを通過中であっても、乗場なしゾーン外の停止可能階の階床移行のタイミングと同じタイミング（図９で、乗場なしゾーン中の破線位置を通過するタイミング）で、階床移行したときに階床移行音を出力する実施例である。この例でも、かごインジケータ(24)は、乗場がない階（２、３、４階）の階床表示をしないようにしている。乗場なしゾーン通過中の階床移行音出力タイミングは、通過検知手段(52)を採用する。
【００４６】
図１０は、乗場なしゾーンを通過中は、かごインジケータ(24)の表示を階床表示ではなくハイフン等とした実施例である。乗場なしゾーン通過中の階床移行音の出力タイミングは、図８と同様、階床表示切替手段(53)を採用する。図示の実施例では、階床移行音の出力タイミングは、乗場なしゾーンに移行する前後、即ち、１階から乗場なしゾーンに移行したとき（かごインジケータ(24)の表示が１階からハイフンへ切り替わるとき）と、乗場なしゾーンから５階に移行したとき（かごインジケータ(24)の表示がハイフンから５階へ切り替わるとき）としている。
【００４７】
図１１も、乗場なしゾーンを通過中は、かごインジケータ(24)の表示を、階床表示ではなくハイフンとした実施例である。乗場なしゾーン通過中の階床移行音出力タイミングは、図９と同様、通過検知手段(52)を採用する。なお、通過検知手段(52)によって乗場なしゾーン通過中に階床移行音を出力するタイミングは、乗場なしゾーン外の停止可能階の階床移行のタイミングと同じタイミング（図９や図１１で、乗場なしゾーン中の破線位置を通過するタイミング）に限定する必要はなく、階床移行音を出力するために予め定めたかご位置を通過するタイミングでさえあれば、他のタイミングでも構わない。
【００４８】
図１２は、図８乃至図１１の実施例に対する階床移行音の出力のタイミングチャート図である。
操作パネル(22)に行先階が入力されると、昇降制御手段(42)は、行先階の方向を検知し、モータ(46)を回転させて、かご(20)を上昇させる(ステップ２０１)。
【００４９】
目的階に対応する減速開始位置に到着するまで高速走行を継続する(ステップ２０２のＮｏ、２０３)。乗場なしゾーン通過中の階床移行音出力タイミングに、図８や図１０のような階床表示切替手段(53)が採用される場合、かごインジケータ(24)の階床表示が切り替わったときのみ、階床移行音出力が可能である(ステップ２０４のＹｅｓ)。その後、かごインジケータ(24)の階床表示と目的階が一致して目的階に到達したと判定されるまで、走行方向に応じた階床移行音を出力する(ステップ２０５のＮｏ、ステップ２０７)。
【００５０】
乗場なしゾーン通過中の階床移行音出力タイミングに、図９や図１１のような通過検知手段(52)が採用される場合、乗場なしゾーン外の停止可能階の階床移行のタイミングと同じタイミング（図９や図１１で、乗場なしゾーン中の破線位置を通過するタイミング）で、階床移行したときに階床移行音の出力が可能である(ステップ２０６のＹｅｓ)。その後、かごインジケータ(24)の階床表示と目的階が一致して目的階に到達したと判定されるまで、走行方向に応じた階床移行音を出力する(ステップ２０７)。
【００５１】
これにより、乗客は、かご(20)の走行方向を聴覚により判別することができる。
【００５２】
目的階に対応する減速開始位置に到達すると(ステップ２０２のＹｅｓ)、昇降制御手段(42)は、モータ(46)の回転速度を落とし、かご(20)を減速させる(ステップ２０８)。
【００５３】
減速が目的階の複数階床手前から開始されている場合、目的階に到着するまでに(ステップ２０９のＮｏ)、１又は複数の階床間を通過する。この通過をかご位置検知手段(51)が検知すると、前記ステップ２０４〜ステップ２０７と同じように、階床移行音の出力を制御する(ステップ２１０〜ステップ２１３)。
目的階に到着すると(ステップ２０９)、目的階に到着した旨の音声放送を行ない(ステップ２１４)、昇降制御手段(42)はモータ(46)の回転を止めて、かご(20)を停止させ、本タイミングフローは終了する。
【００５４】
なお、新規の乗場呼びや行先階の追加があった場合には、これらに応答してかご(20)の走行、停止を行なえばよい。
【００５５】
上記のように乗場なしゾーンを通過中は、階床表示切替手段(53)又は通過検知手段(52)の何れかを採用することにより階床移行音の出力が可能である。なお図１２は、階床表示切替手段(53)を採用する場合と通過検知手段(52)を採用する場合の両方を一つのフローチャートで示しているが、実際にはいずれか一方が採用されて処理される。
【００５６】
また、乗場なしゾーン外を走行中においても同様に、階床表示切替手段(53)又は通過検知手段(52)の何れかを採用することにより階床移行音の出力が可能である。
【００５７】
スピーカ(32)から出力される階床移行音の出力間隔を違えることができるから、乗客は、かご(20)が乗場なしゾーンの内外何れを走行しているか、聴覚により識別することも可能である。
【００５８】
なお、図１３に示すように、かご位置検知手段(51)が、かご(20)が停止している状態から、上下方向の何れかの最初の階床に移行したことを検知したときに出力される階床移行音は、それ以後の階床移行音に比して大きくすることで、乗客の注意を惹くことができる。例えば、最初の階床移行音を後の階床移行音に比して５ｄＢ程度大きくすることが望ましい。
【００５９】
すべての階床移行音を大きくすると、かご(20)内の雑音が小さい場合は乗客が騒音と感じてしまうことがあるが、最初だけ大きい階床移行音とすることで、階床移行音が出力されることを乗客が認識することができ、その階床移行音でかご(20)の走行状態を判定できることを容易に気づかせることができる利点がある。
【００６０】
また、図１４に示すように、かご(20)の乗車率が高い場合には、かご(20)内の混雑により雑音も大きくなるから、乗車率に応じて、階床移行音を変化させることが望ましい。具体的には、最初に出力される階床移行音だけでなく、後の階床移行音も大きくする。乗車率は、例えば、かご(20)の重量、行先階の登録数、画像認識などにより判定することができる。
【００６１】
かご(20)の昇降スピードが速いエレベータ(10)については、階床間を通過する毎に階床移行音を出力せずに、複数の階床を移行する毎、例えば、３〜５階床移行毎に階床移行音を出力するように、出力タイミングを変えてもよい。
【００６２】
さらに、かご(20)の昇降スピードを、例えば、所定速度以下の低速域と、それを越える高速域に分け、低速域と高速域で階床移行音の出力タイミングを変え、低速域に比して高速域における出力タイミングを遅らせるようにしてもよい。低速域での出力タイミングのまま高速域に推移すると、出力間隔が短くなりすぎて階床移行音どうしが重なってしまい、聞き辛くなる。しかしながら、上記のように高速域での出力タイミングを低速域での出力タイミングよりも遅らせることで、高速域における階床移行音どうしの音の重なりを防止できる。
【００６３】
かご(20)の昇降スピードを、低速域と高速域に加え、低速域よりもかご(20)の昇降スピードの遅い超低速域に分けて、同様の要領で超低速域での出力タイミングを低速域での出力タイミングよりも早めることにより、超低速域における階床移行音の間延びを防止することもできる。
【００６４】
加えて、出力タイミングを違えるだけでなく、階床移行音の音色、例えば、音の高さや音の長さを変えることで、超低速域、低速域、高速域で出力タイミングを変えていることが認識されるだけでなく、かご(20)の昇降スピードを聴覚により把握することができる利点がある。
【００６５】
また、図２に示すように、制御盤(40)又はかご側制御盤(50)にかご(20)内の乗客の有無を判定する乗客判定手段(56)を接続し、乗客無の場合には、階床移行音やその他の音響の放送をしないようにすることで、省電力化を図ることができ、さらには、建物内で不要な音が発生することを避けることができる。
乗客判定手段(56)は、操作パネル(22)とすることができ、かご(20)内の操作パネル(22)に行先階の登録操作が行なわれていないことで乗客無と判定することができる。また、かご(20)内にカメラ、赤外線センサなどを配置し、乗客の有無を判定してもよい。また、かご(20)の重量、画像認識などにより判定することもできる。
【００６６】
上記した階床移行音の音色は、上記に限定されるものでないことは勿論であるが、警報音と間違えることのない音を選択することが望ましい。
また、感覚的に上昇又は下降を判別できる音を選択することが望ましい。
【００６７】
本発明の放送システムを具えたエレベータによれば、かごが走行していること、かごの走行方向、かごの位置(階数)を聴覚により確認することができるため、乗客は、かごの運行状況を視覚に頼らず判断できる。また、乗客は、これらの情報からあとどのくらいで所望の行先階まで到着するかを予測でき、かごの停止した階床が所望の行先階であることを判断することもできる。
【００６８】
なお、階床移行音の一時的な出力停止を、操作パネル(22)の操作で行なうようにしてもよい(例えば、戸開ボタンと戸閉ボタンを同時に押したり、走行中において戸開ボタン又は戸閉ボタンを押すことにより、出力を停止する)。この場合、出力停止操作後は階床移行音の出力は停止されるが、出力停止の解除は、一回の走行終了後や、乗客無となったときなど、適宜設定できる。また、階床移行音の一時的停止を、時間帯設定(例えば、夜間は出力停止)などにより行なうようにしてもよい。
【産業上の利用可能性】
【００６９】
本発明は、かごの状態をより判り易く乗客に知らせることのできる放送システムを具えるエレベータとして有用である。
【符号の説明】
【００７０】
(10)  エレベータ
(20)  かご
(22)  操作パネル
(24)  かごインジケータ
(30)  放送システム
(32)  スピーカ
(34)  音響再生部
(51)  かご位置検知手段
(52)  通過検知手段
(53)  階床表示切替手段
【図１】
0005880161.tif 000002
【図２】
0005880161.tif 000003
【図３】
0005880161.tif 000004
【図４】
0005880161.tif 000005
【図５】
0005880161.tif 000006
【図６】
0005880161.tif 000007
【図７】
0005880161.tif 000008
【図８】
0005880161.tif 000009
【図９】
0005880161.tif 000010
【図１０】
0005880161.tif 000011
【図１１】
0005880161.tif 000012
【図１２】
0005880161.tif 000013
【図１３】
0005880161.tif 000014
【図１４】
0005880161.tif 000015